(57)【要約】【課題】  回転時に偏荷重を発生させるようなディスクを使用対象とした場合でも、そのディスクの遠心力や偏荷重の影響を受けてディスクラバーが位置ずれするという事態を防ぐことのできるターンテーブルを提供する。【解決手段】  モータ１の回転軸に円板形のターンテーブル本体２を連結する。ターンテーブル２の上面に円環状のディスクラバー３が貼着されている。ターンテーブル２にリング部６を一体に樹脂成形することにより、そのリング部６を、ディスクラバー３の外周面３２に接触させてディスクラバー３の初期位置からの位置ずれを防止する。リング部６の頂面高さは、ディスクラバー３の上面高さよりも低い。【選択図】        図１
2007184057.tif 000002
【特許請求の範囲】
【請求項１】
モータの回転軸に連結された円板形のターンテーブル本体の平坦な上面に、上面がディスク載置面として形成された円環状のディスクラバーが貼着されている光ディスク装置のターンテーブルにおいて、
上記ディスクラバーの外周面に接触して上記ターンテーブル本体の回転に伴うディスクラバーの初期位置からの位置ずれを阻止するリング部が上記ターンテーブル本体に一体に樹脂成形されていると共に、そのリング部の頂面が上記ディスクラバーの上面よりも下位に位置しており、上記ディスクラバーの上面は、その回転時の軸線方向での振れ幅が一定値以下になるように切削仕上げされていることを特徴とする光ディスク装置のターンテーブル。
【請求項２】
モータの回転軸に連結された円板形のターンテーブル本体の平坦な上面に、上面がディスク載置面として形成された円環状のディスクラバーが貼着されている光ディスク装置のターンテーブルにおいて、
上記ディスクラバーの外周面の下部のみに接触して上記ターンテーブル本体の回転に伴うディスクラバーの初期位置からの位置ずれを阻止するリング部が、上記ターンテーブル本体に一体に備わっていることを特徴とする光ディスク装置のターンテーブル。
【請求項３】
モータの回転軸に連結された円板形のターンテーブル本体の平坦な上面に、上面がディスク載置面として形成された円環状のディスクラバーが貼着されている光ディスク装置のターンテーブルにおいて、
上記ディスクラバーの内周面の下部のみに接触して上記ターンテーブル本体の回転に伴うディスクラバーの初期位置からの位置ずれを阻止するリング部が、上記ターンテーブル本体に一体に備わっていることを特徴とする光ディスク装置のターンテーブル。
【請求項４】
上記リング部の頂面が上記ディスクラバーの上面よりも下位に位置している請求項２又は請求項３に記載した光ディスク装置のターンテーブル。
【発明の詳細な説明】
【技術分野】
【０００１】
本発明は、光ディスク装置のターンテーブル、特に、ディスク載置面がラバー材の上面によって形成されている光ディスク装置のターンテーブルに関する。
【背景技術】
【０００２】
図３はこの種のターンテーブルの一般的な構成を概略で示した部分縦断側面図である。同図のターンテーブルは、スピンドルモータ１の回転軸に同心状に直結された円板形のターンテーブル本体２を備えていて、そのターンテーブル本体２の上面外周部にディスクラバー３と通称されている円環状のラバー材が同心位置に貼着されている。
【０００３】
この構成のターンテーブルを備える光ディスク装置では、ローディングモードを実行することによってターンテーブル２に載置されたディスクＤが、ターンテーブル本体２に具備された心合わせ突起４によって偏心しないように位置決めされ、かつ、図示していないフレームに保持されたクランプ５とターンテーブル本体２とにより滑らないように挟持される。また、光ディスク装置で再生モードや記録モードを実行したときには、スピンドルモータ１が回転し、その回転が上記したターンテーブル本体２とクランプ５とにより挟持されているディスクＤに伝達されてディスクＤが回転する。そして、回転中のディスクＤを図示していない光ピックアップが光学的に処理して情報の再生や記録が行われる。
【０００４】
図４は従来例としてのターンテーブルの概略斜視図、図５は同ターンテーブルの要部の概略拡大部分断面図であり、その基本構成は、図３を参照して説明したところと同様である。
【０００５】
従来のターンテーブルにおいて、ターンテーブル本体２の上面に貼着される前のディスクラバー３は、その裏面に剥離シートで覆われた粘着剤を保持しており、生産ラインでは、その剥離シートを剥がしとった後に、ターンテーブル本体２の平坦の上面２１の同心位置に精度よく貼着されてターンテーブル本体２に一体化される。そして、貼着後に、ディスクラバー３の上面を切削仕上げすることによって、その上面によって形成されるディスク載置面３１の軸線方向での振れ幅（面触れ幅）が一定値以下、たとえば２０μｍ以下になるように調整される。
【０００６】
上記した従来例と同様基本構成を備えるターンテーブル装置において、ディスクを高速回転させたときに発生する振動を防止するための研究も従来より行われている（たとえば、特許文献１、特許文献２参照）。
【特許文献１】特開２００３−５１１４６号公報
【特許文献２】特開２００３−５９１４６号公報
【発明の開示】
【発明が解決しようとする課題】
【０００７】
ところで、図４又は図５を参照して説明した従来例では、ターンテーブルの回転速度や回転継続時間によっては、ディスクラバー３に初期位置からの位置ずれの発生することが知見された。たとえば、ターンテーブルとクランプとによりディスクを挟持させた図３の状態で、ＤＶＤの記録モードに対応する速度でターンテーブルを３０００時間に亘って連続回転させたときに、ターンテーブルを概略平面図で例示した図６の仮想線のように、ディスクラバー３の外周輪郭線が、実線で示した初期位置から微小寸法だけ位置ずれすることがあるということが確認された。また、そのような位置ずれは温度が高いときに生じやすいということも確認された。
【０００８】
そこで、本願発明者は、ディスクラバー３の上記のような位置ずれの原因を究明するために鋭意調査を行ったところ、ディスクを回転させたときに生じる偏荷重の影響でディスクラバー３がディスクにより偏心方向に引張られるという状況が生じ、それによってディスクラバー３が初期位置から位置ずれするといったことなどが確認された。また、そのような位置ずれが生じると、ディスク回転時の面振れ精度（面触れ幅を許容範囲に収めるための精度）が低下し、再生モード又は記録モードでの所謂音飛びや映像飛びといった不具合を生じやすくなることが判明した。
【０００９】
本発明は以上の状況に鑑みてなされたものであり、たとえ回転時に偏荷重を発生させるようなディスクを使用対象とした場合でも、そのディスクの遠心力や偏荷重の影響を受けてディスクラバーが位置ずれするという事態を防ぐことのできるターンテーブルを、余分な部品を用いることなく提供することを目的とする。
【００１０】
特に、本発明は、ディスク回転時の面振れ精度の低下要因になるようなディスクラバーの外周輪郭線の外側への位置ずれを確実に防ぐことのできるターンテーブルを提供することを目的とする。
【課題を解決するための手段】
【００１１】
本発明に係るターンテーブルは、モータの回転軸に連結された円板形のターンテーブル本体の平坦な上面に、上面がディスク載置面として形成された円環状のディスクラバーが貼着されている光ディスク装置のターンテーブルにおいて、上記ディスクラバーの外周面の下部のみに接触して上記ターンテーブル本体の回転に伴うディスクラバーの初期位置からの位置ずれを阻止するリング部が、上記ターンテーブル本体に一体に備わっている、というものである。
【００１２】
この構成であると、回転時のディスクラバーの外周輪郭線の外側への位置ずれが、ターンテーブル本体に一体に具備されてそのディスクラバーの外周面に接触しているリング部によって阻止されるため、ディスクラバーの位置ずれやその外周輪郭線の外側への位置ずれが防止される。また、ディスクラバーの外周輪郭線の外側への位置ずれが上記リングによって直接的に防止される結果、ディスクラバーの内周輪郭線の位置ずれも間接的に防止される。
【００１３】
この構成のターンテーブルでは、リング部をディスクラバーの外周面に接触させてその位置ずれを防止するというものであるので、そのリング部が、生産ライン中でディスクラバーの上面を切削仕上げして回転時の面触れ精度を高めるという作業行程のじゃまにならないか、ということが問題になるけれども、この発明において、上記リング部はディスクラバーの外周面の下部のみに接触しているため、そのような作業行程をリング部によってじゃまされることなく行うことが可能である。
【００１４】
本発明では、モータの回転軸に連結された円板形のターンテーブル本体の平坦な上面に、上面がディスク載置面として形成された円環状のディスクラバーが貼着されている光ディスク装置のターンテーブルにおいて、上記ディスクラバーの内周面の下部のみに接触して上記ターンテーブル本体の回転に伴うディスクラバーの初期位置からの位置ずれを阻止するリング部が、上記ターンテーブル本体に一体に備わっている、という構成を採用することも可能である。これによると、回転時のディスクラバーの内周輪郭線の位置ずれがターンテーブル本体と一体のリング部により阻止されるため、その外周輪郭線の外側への位置ずれも併せて防止される。また、上記同様の理由によって、生産ライン中でディスクラバーの上面を切削仕上げして回転時の面触れ精度を高めるという作業行程をリング部によってじゃまされることなく行うことが可能である。
【００１５】
本発明では、上記リング部の頂面が上記ディスクラバーの上面よりも下位に位置していることが望ましい。この構成は、上記した作業行程をより確実に行うことができるようにするための具体的構成である。
【００１６】
本発明に係るターンテーブルは、モータの回転軸に連結された円板形のターンテーブル本体の平坦な上面に、上面がディスク載置面として形成された円環状のディスクラバーが貼着されている光ディスク装置のターンテーブルにおいて、上記ディスクラバーの外周面に接触して上記ターンテーブル本体の回転に伴うディスクラバーの初期位置からの位置ずれを阻止するリング部が上記ターンテーブル本体に一体に樹脂成形されていると共に、そのリング部の頂面が上記ディスクラバーの上面よりも下位に位置しており、上記ディスクラバーの上面は、その回転時の軸線方向での振れ幅が一定値以下になるように切削仕上げされている、という構成を採用することによっていっそう具体化される。この発明の作用などは後述する実施形態を参照して詳細に説明する。
【発明の効果】
【００１７】
以上のように、本発明によれば、回転時に偏荷重を発生させない良質のディスクが使用対象である場合は勿論、回転時に偏荷重を生じさせるようなディスクを使用対象とした場合でも、そのディスクの遠心力や偏荷重の影響を受けてディスクラバーの外周輪郭線が位置ずれするという事態が防止される。そのため、ディスク回転時の面振れ精度が低下することがなくなり、再生モード又は記録モードでの所謂音飛びや映像飛びといった不具合を生じにくくなる。したがって、本発明に係るターンテーブルは、今後のディスクの高速回転仕様、たとえば、ハードディスクから光学ディスクへの高速ダビングといった仕様モードにも十分に対処できるものであるということが云える。また、ユーザにとっては常に正常のサウンドや画像を楽しむことができるようになるという利点が生じる。
【発明を実施するための最良の形態】
【００１８】
図１は本発明の実施形態に係るターンテーブルの概略斜視図、図２は同ターンテーブルの要部の拡大縦断側面図である。
【００１９】
同図のターンテーブルの基本構成は、図３を参照して説明したところと同様であり、スピンドルモータ１の回転軸に同心状に直結された円板形のターンテーブル本体２を備えていて、そのターンテーブル本体２の上面外周部に円環形のディスクラバー３が同心位置に貼着されている。そして、光ディスク装置において、ローディングモードを実行すると、ターンテーブル２に載置されたディスクが、ターンテーブル本体２に具備された心合わせ突起４によって偏心しないように位置決めされ、かつ、図示していないフレームに保持されたクランプとターンテーブル本体２とにより滑らないように挟持される。また、光ディスク装置で再生モードや記録モードを実行したときには、スピンドルモータ１が回転し、その回転が上記したターンテーブル本体２とクランプ５とにより挟持されているディスクに伝達されてディスクが回転する。そして、回転中のディスクを図示していな光ピックアップが光学的に処理して情報の再生や記録が行われる。
【００２０】
このターンテーブルが、図４又は図５を参照して説明した従来例と異なる点は、図１又は図２に示したように、ディスクラバー３の外周面３２に接触するリング部６が、ターンテーブル本体２の外縁全周に亘って一体に樹脂成形されている点、そのリング部６の頂面６１がディスクラバー３のディスク載置面３１としての上面よりも下位に位置している点である。そして、ディスクラバー３の外周面３２に対するリング部６の接触幅（掛り幅）ｄを適切に定めることによって、ターンテーブル本体２の回転に伴うディスクラバー３の初期位置からの位置ずれ、すなわちディスクラバー３の外周輪郭線の外側への位置ずれが、リング部６によって阻止されるように構成してある。なお、ディスクラバー３の上面は、その回転時の軸線方向での振れ幅が一定値以下（たとえば２０μｍ以下）、言い換えると、要求されている面触れ精度が満たされるように切削仕上げされている。
【００２１】
以上のように構成されているターンテーブルによれば、たとえば回転時に偏荷重を生じさせるようなディスクを使用対象として、ＤＶＤの記録モードに対応する速度でターンテーブルを３０００時間に亘って連続回転させても、ディスクラバー３の外周輪郭線が外側に位置ずれするという事態を生じないことを確認できた。また、ディスクラバー３の内周輪郭線についても位置ずれを生じていないことも確認できた。このことから、この実施形態では、回転中のディスクとディスク載置面３１との摩擦によってディスクラバー３に外側に向く荷重が加わったとしても、その荷重がリング部６により受け止められるために、ディスクラバー３の外周輪郭線や内周輪郭線が位置ずれを生じないことが判明した。さらに、ディスクに光学的な再生又は記録の処理を行うと、音飛びや映像飛びを生じない正常なサウンドや画像を楽しむことができた。
【００２２】
この実施形態は、ターンテーブル本体２に一体に樹脂成形したリング部６をディスクラバー３の外周面３２に接触させた事例であるけれども、この点に関しては、ディスクラバー３の内周面全体に接触するリング部をターンテーブル本体２に一体に樹脂成形しておいてもよいことを確認している。
【００２３】
そして、リング部６をディスクラバー３の外周面の全体に接触させる場合であっても、その内周面の全体に接触させる場合であっても、リング部６の頂部６１がディスクラバー３のディスク載置面３１としての上面よりも下位に位置していることが必要である。これは、生産ライン中でディスクラバー３の上面を切削仕上げして回転時の軸線方向での振れ幅を一定値以下に抑える場合に、リング部６がその切削仕上げ作業のじゃまにならないようにするためである。
【００２４】
また、この実施形態では、ディスクラバー３の外周面又は内周面の一方側だけにリング部が接触している構成を採用したので、ディスクラバー３をターンテーブル本体２の平坦な上面に貼着する作業を無理なく容易に行うことができるという利点もある。
【図面の簡単な説明】
【００２５】
【図１】本発明の実施形態に係るターンテーブルの概略斜視図である。
【図２】同ターンテーブルの要部の拡大縦断側面図である。
【図３】ターンテーブルの一般的な構成を概略で示した部分縦断側面図である。
【図４】従来例としてのターンテーブルの概略斜視図である。
【図５】同ターンテーブルの要部の概略拡大部分断面図である。
【図６】ディスクラバーの外周輪郭線が位置ずれした状態を説明するためのターンテーブルの概略平面図である。
【符号の説明】
【００２６】
１  スピンドルモータ（モータ）
２  ターンテーブル本体
３  ディスクラバー
６  リング部
３１  ディスク載置面
６１  リング部の頂面
【図１】
2007184057.tif 000003
【図２】
2007184057.tif 000004
【図３】
2007184057.tif 000005
【図４】
2007184057.tif 000006
【図５】
2007184057.tif 000007
【図６】
2007184057.tif 000008